(57)【要約】【課題】展開状態を容易に保持することができる折り畳み式収納箱を得る。【解決手段】収納状態の底板３６を開放状態へ移行させると、底板３６に形成された押圧部６２が、回動部材６４のＶ字状の一方の凸部を押圧する。回動部材６４が押圧されると回動部材６４が回動し、回動部材６４と連結される棒状のロック部材７０は、水平方向に延びるように回動する。これによりロック部材７０の先端部は、第２側壁板２０Ｂに形成された凹状のポケット部８０に挿入される。ロック部材７０の先端部がポケット部８０に挿入されるとロック部材７０は、第１側壁板２０Ａと第２側壁板２０Ｂに跨るように配置される。つまり、ロック装置６０は、側壁板２０の展開状態をロックするロック状態に配置される。【選択図】図１
2010274962.tif 000002
【特許請求の範囲】
【請求項１】
矩形状のベース板と、
前記ベース板に対して対向して設けられる対向板と、
前記ベース板の側縁と前記対向板の側縁とに連結され、折り畳まれる折畳状態で前記ベース板及び前記対向板を接近させると共に、前記対向板を前記ベース板から離間させると折畳状態から展開状態となり、この展開状態で前記ベース板と前記対向板とで四方を囲む一対の側壁板と、
前記側壁板の折畳状態で前記ベース板及び前記対向板と重なる収納状態に配置されると共に、前記ベース板又は前記対向板に回転自在に軸支され、前記対向板を前記ベース板から離間させて前記側壁板を折畳状態から展開状態にすると、収納状態から回動して開放状態へ移行して一対の前記側壁板と前記ベース板と前記対向板とで四方を囲まれる底部を構成する底板と、
前記底板を収納状態から開放状態へ移行させると前記側壁板を展開状態にロックするロック手段と、
を備える折り畳み式収納箱。
【請求項２】
前記底板を開放状態から収納状態へ移行させると、前記ロック手段は展開状態にロックされた前記側壁板のロックを解除する請求項１に記載の折り畳み式収納箱。
【請求項３】
前記側壁板を折畳状態となるように付勢する側壁付勢部材が設けられる請求項１又は２に記載の折り畳み式収納箱。
【請求項４】
前記ロック手段は、
回動する前記底板に設けられた押圧部と、
前記側壁板に設けられ、前記押圧部に押圧されて前記側壁板を展開状態にロック又は展開状態からロックを解除するロック装置と、
を備える請求項１〜３何れか１項に記載の折り畳み式収納箱。
【請求項５】
前記底板を開放状態に付勢する底板付勢部材が設けられる請求項１〜４何れか１項に記載の折り畳み式収納箱。
【請求項６】
前記ロック装置が前記側壁板を展開状態にロックするロック状態又は展開状態からロックを解除するロック解除状態の何れでの状態であっても、前記底板の収納状態から開放状態又は開放状態から収納状態への移行を許可とする移行許可手段が設けられる請求項４又は５に記載の折り畳み式収納箱。
【請求項７】
矩形状のベース板と、
前記ベース板に対して対向して設けられる対向板と、
前記ベース板の側縁と前記対向板の側縁とに連結され、折り畳まれる折畳状態で前記ベース板及び前記対向板を接近させると共に、前記対向板を前記ベース板から離間させると折畳状態から展開状態となり、この展開状態で前記ベース板と前記対向板とで四方を囲む一対の側壁板と、
前記側壁板の折畳状態で前記ベース板及び前記対向板と重なる収納状態に配置されると共に、前記ベース板又は前記対向板に回転自在に軸支され、前記対向板を前記ベース板から離間させて前記側壁板を折畳状態から展開状態にすると、収納状態から回動して開放状態へ移行して一対の前記側壁板と前記ベース板と前記対向板とで四方を囲まれる底部を構成する底板と、
前記対向板を前記ベース板から離間させて一対の前記側壁板を折畳状態から展開状態にするときに、一対の前記側壁板と前記ベース板と前記対向板とで四方を囲まれる底部の対角線の長さが等しくなるように前記対向板を前記ベース板から離間させる離間手段と、
を備える折り畳み式収納箱。
【発明の詳細な説明】
【技術分野】
【０００１】
本発明は、折り畳むことで保管場所をとることがない折り畳み式収納箱に関する。
【背景技術】
【０００２】
特許文献１に記載の収納装置（収納箱）は、収納装置（収納箱）を構成する一対の側壁部及び底壁部を折り畳んで格納状態とすることで、車両の荷室の側面にコンパクトに格納されるようになっている。
【先行技術文献】
【特許文献】
【０００３】
【特許文献１】特開２００８−８７６２５号公報
【発明の概要】
【発明が解決しようとする課題】
【０００４】
しかしながら、従来の構成によると、折畳状態（格納状態）から展開状態（使用状態）にしたときに、この展開状態を保持する機能がないため、不意に外力が加わった際に意に反して収納箱が折り畳まれてしまうことが考えられる。
【０００５】
また、この展開状態を保持させるためには、ユーザが収納箱を展開させた後、何らかの固定部材を取り付けることで展開状態を保持させることが考えられるが、この固定部材の取り付けに手間がかかってしまう。
【０００６】
本発明は、上記事実を考慮し、展開状態を容易に保持することが課題である。
【課題を解決するための手段】
【０００７】
本発明の請求項１に係る折り畳み式収納箱は、矩形状のベース板と、前記ベース板に対して対向して設けられる対向板と、前記ベース板の側縁と前記対向板の側縁とに連結され、折り畳まれる折畳状態で前記ベース板及び前記対向板を接近させると共に、前記対向板を前記ベース板から離間させると折畳状態から展開状態となり、この展開状態で前記ベース板と前記対向板とで四方を囲む一対の側壁板と、前記側壁板の折畳状態で前記ベース板及び前記対向板と重なる収納状態に配置されると共に、前記ベース板又は前記対向板に回転自在に軸支され、前記対向板を前記ベース板から離間させて前記側壁板を折畳状態から展開状態にすると、収納状態から回動して開放状態へ移行して一対の前記側壁板と前記ベース板と前記対向板とで四方を囲まれる底部を構成する底板と、前記底板を収納状態から開放状態へ移行させると前記側壁板を展開状態にロックするロック手段と、を備える。
【０００８】
上記構成によれば、折り畳み式収納箱を使用するときには、対向板をベース板から離間させ、ベース板の側縁と対向板の側縁とに連結される一対の側壁板を折畳状態から展開状態とすると、一対の側壁板とベース板と対向板とで四方を囲む。
【０００９】
また、対向板をベース板から離間させて側壁板を折畳状態から展開状態にすると、ベース板及び対向板と重なる収納状態に配置されていた底板は、収納状態から回動して開放状態へ移行して一対の側壁板とベース板と対向板とで四方を囲まれる底部を構成する。
【００１０】
さらに、ロック手段は、底板を収納状態から開放状態へ移行させることで側壁板を展開状態にロックする。
【００１１】
このように、底板を収納状態から開放状態へ移行させるとロック手段が側壁板を展開状態にロックするため、側壁板の展開状態を容易に保持することができる。
【００１２】
本発明の請求項２に係る折り畳み式収納箱は、請求項１記載において、前記底板を開放状態から収納状態へ移行させると、前記ロック手段は展開状態にロックされた前記側壁板のロックを解除する。
【００１３】
上記構成によれば、折り畳み式収納箱を折り畳むときには、底板を開放状態から収納状態へ移行させると、ロック手段が展開状態にロックされた側壁板のロックを解除する。
【００１４】
このように、底板を開放状態から収納状態へ移行させるだけで、容易に展開状態にロックされた側壁板のロックを解除することができる。
【００１５】
本発明の請求項３に係る折り畳み式収納箱は、請求項１又は２に記載において、前記側壁板を折畳状態となるように付勢する側壁付勢部材が設けられる。
【００１６】
上記構成によれば、側壁付勢部材は、側壁板を折畳状態となるように付勢する。このため、ロック手段による側壁板のロックが解除された状態では、側壁板を容易に展開状態から折畳状態へ移行させることができる。
【００１７】
本発明の請求項４に係る折り畳み式収納箱は、請求項１〜３何れか１項に記載において、前記ロック手段は、回動する前記底板に設けられた押圧部と、前記側壁板に設けられ、前記押圧部に押圧されて前記側壁板を展開状態にロック又は展開状態からロックを解除するロック装置と、を備える。
【００１８】
上記構成によれば、底板に設けられた押圧部が、側壁板に設けられたロック装置を押圧することで、側壁板を展開状態にロック又は展開状態からロックを解除する。
【００１９】
このように、簡易な構成で、側壁板を展開状態にロック又は展開状態からロックを解除することができる。
【００２０】
本発明の請求項５に係る折り畳み式収納箱は、請求項１〜４何れか１項に記載において、前記底板を開放状態に付勢する底板付勢部材が設けられる。
【００２１】
上記構成によれば、底板付勢部材が底板を開放状態に付勢するため、ユーザが底板を収納状態から開放状態へ移行させる操作力が軽減される。
【００２２】
こように、底板付勢部材を設けることで、ユーザが底板を収納状態から開放状態へ移行させる操作力を軽減することができる。
【００２３】
本発明の請求項６に係る折り畳み式収納箱は、請求項４又は５に記載において、前記ロック装置が前記側壁板を展開状態にロックするロック状態又は展開状態からロックを解除するロック解除状態の何れでの状態であっても、前記底板の収納状態から開放状態又は開放状態から収納状態への移行を許可とする移行許可手段が設けられる。
【００２４】
上記構成によれば、移行許可手段は、ロック装置が側壁板を展開状態にロックするロック状態又は展開状態からロックを解除するロック解除状態の何れでの状態であっても、底板の収納状態から開放状態又は開放状態から収納状態への移行を許可とする。
【００２５】
このため、ロック装置が押圧部に押圧されることなくロック状態又はロック解除状態に移行してしまったときでも、底板を収納状態から開放状態又は開放状態から収納状態へと移行させることができる。
【００２６】
本発明の請求項７に係る折り畳み式収納箱は、矩形状のベース板と、前記ベース板に対して対向して設けられる対向板と、前記ベース板の側縁と前記対向板の側縁とに連結され、折り畳まれる折畳状態で前記ベース板及び前記対向板を接近させると共に、前記対向板を前記ベース板から離間させると折畳状態から展開状態となり、この展開状態で前記ベース板と前記対向板とで四方を囲む一対の側壁板と、前記側壁板の折畳状態で前記ベース板及び前記対向板と重なる収納状態に配置されると共に、前記ベース板又は前記対向板に回転自在に軸支され、前記対向板を前記ベース板から離間させて前記側壁板を折畳状態から展開状態にすると、収納状態から回動して開放状態へ移行して一対の前記側壁板と前記ベース板と前記対向板とで四方を囲まれる底部を構成する底板と、前記対向板を前記ベース板から離間させて一対の前記側壁板を折畳状態から展開状態にするときに、一対の前記側壁板と前記ベース板と前記対向板とで四方を囲まれる底部の対角線の長さが等しくなるように前記対向板を前記ベース板から離間させる離間手段と、を備える。
【００２７】
上記構成によれば、折り畳み式収納箱を使用するときには、対向板をベース板から離間させ、ベース板の側縁と対向板の側縁とに連結される一対の側壁板を折畳状態から展開状態とすると、一対の側壁板とベース板と対向板とで四方を囲む。
【００２８】
また、対向板をベース板から離間させて側壁板を折畳状態から展開状態にすると、ベース板及び対向板と重なる収納状態に配置されていた底板は、収納状態から回動して開放状態へ移行して一対の側壁板とベース板と対向板とで四方を囲まれる底部を構成する。
【００２９】
さらに、離間手段は、一対の側壁板とベース板と対向板とで四方を囲まれる底部の対角線の長さが等しくなるように対向板をベース板から離間させる。
【００３０】
このように、底部の対角線の長さを等しくさせることで折り畳み式収納箱が歪むのを抑制することができる。
【発明の効果】
【００３１】
本発明によれば、展開状態を容易に保持することができる。
【図面の簡単な説明】
【００３２】
【図１】本発明の第１実施形態に係る折り畳み式収納箱を示した斜視図である。
【図２】本発明の第１実施形態に係る折り畳み式収納箱を示した斜視図である。
【図３】本発明の第１実施形態に係る折り畳み式収納箱を示した斜視図である。
【図４】本発明の第１実施形態に係る折り畳み式収納箱を示した底面図である。
【図５】本発明の第１実施形態に係る折り畳み式収納箱を示した底面図である。
【図６】本発明の第１実施形態に係る折り畳み式収納箱を示した底面図である。
【図７】本発明の第１実施形態に係る折り畳み式収納箱を示した側面図である。
【図８】本発明の第１実施形態に係る折り畳み式収納箱を示した側面図である。
【図９】本発明の第１実施形態に係る折り畳み式収納箱を示した断面図である。
【図１０】本発明の第１実施形態に係る折り畳み式収納箱を示した断面図である。
【図１１】（Ａ）（Ｂ）本発明の第１実施形態に係る折り畳み式収納箱に採用されたロック装置を示した側面図である。
【図１２】（Ａ）（Ｂ）本発明の第１実施形態に係る折り畳み式収納箱に採用されたロック装置を示した側面図である。
【図１３】（Ａ）（Ｂ）本発明の第１実施形態に係る折り畳み式収納箱に採用されたロック装置を示した側面図である。
【図１４】（Ａ）（Ｂ）本発明の第１実施形態に係る折り畳み式収納箱に採用されたロック装置を示した側面図である。
【図１５】（Ａ）（Ｂ）本発明の第１実施形態に係る折り畳み式収納箱に採用されたロック装置を示した側面図である。
【図１６】（Ａ）（Ｂ）本発明の第１実施形態に係る折り畳み式収納箱に採用された側壁板を示した分解斜視図である。
【図１７】（Ａ）（Ｂ）本発明の第１実施形態に係る折り畳み式収納箱に採用された側壁板を示した斜視図である。
【図１８】（Ａ）（Ｂ）本発明の第１実施形態に係る折り畳み式収納箱に採用された側壁板を示した斜視図である。
【図１９】（Ａ）（Ｂ）本発明の第２実施形態に係る折り畳み式収納箱に採用された側壁板を示した分解斜視図である。
【図２０】（Ａ）（Ｂ）本発明の第２実施形態に係る折り畳み式収納箱に採用された側壁板を示した斜視図である。
【図２１】（Ａ）（Ｂ）本発明の第２実施形態に係る折り畳み式収納箱に採用された側壁板を示した斜視図である。
【図２２】（Ａ）（Ｂ）本発明の第１実施形態に係る折り畳み式収納箱に採用されたロック装置を示した側面図である。
【図２３】（Ａ）（Ｂ）本発明の第１実施形態に係る折り畳み式収納箱に採用されたロック装置を示した側面図である。
【図２４】（Ａ）（Ｂ）本発明の第１実施形態に係る折り畳み式収納箱に採用されたロック装置を示した側面図である。
【図２５】（Ａ）（Ｂ）本発明の第１実施形態に係る折り畳み式収納箱に採用されたロック装置を示した側面図である。
【図２６】（Ａ）（Ｂ）本発明の第１実施形態に係る折り畳み式収納箱に採用されたロック装置を示した側面図である。
【発明を実施するための形態】
【００３３】
本発明の第１実施形態に係る折り畳み式収納箱の一例について図１〜図１８に従って説明する。
【００３４】
（全体構成）
図１に示されるように、第１実施形態に係る折り畳み式収納箱１０は、矩形状のベース板１２を備えている。このベース板１２は樹脂材料で成形され、４つの縁部には、ベース板１２の剛性を確保するフランジ１２Ａが立設するように一体的に成形されている。
【００３５】
さらに、ベース板１２と対応するようにベース板１２と外形同形状の対向板１４が設けられている。この対向板１４は樹脂材料で成形され、４つの縁部には、対向板１４の剛性を確保するフランジ１４Ａがベース板１２へ向けて立設するように一体的に成形されている。また、対向板１４には、ユーザが把持可能な把持部１６が設けられている。
【００３６】
さらに、ベース板１２の側縁であるフランジ１２Ａと対向板１４の側縁であるフランジ１４Ａに連結される樹脂材料で成形された一対の側壁板２０が設けられている。側壁板２０は、折り畳まれる折畳状態でベース板１２及び対向板１４を接近させる（図２参照）と共に、対向板１４の把持部１６を把持して対向板１４をベース板１２から離間させると折畳状態から展開状態となり、この展開状態でベース板１２と対向板１４とで四方を囲むようになっている。
【００３７】
詳細には、側壁板２０は、分割線が垂直方向（対向板１４がベース板１２から離間する方向に対して直交する方向）に延びるように、ベース板１２側の第１側壁板２０Ａと対向板１４側の第２側壁板２０Ｂに分割されており、第１側壁板２０Ａと第２側壁板２０Ｂは、垂直方向を軸方向とする軸支部２２で回転可能に支持されている。
【００３８】
また、第１側壁板２０Ａとベース板１２のフランジ１２Ａは、垂直方向を軸方向とする軸支部２４で回転可能に支持され、第２側壁板２０Ｂと対向板１４のフランジ１４Ａは、垂直方向を軸方向とする軸支部２６で回転可能に支持されている。
【００３９】
さらに、軸支部２２、軸支部２４及び軸支部２６には、第１側壁板２０Ａと第２側壁板２０Ｂを折り畳んで側壁板２０が折畳状態（図２参照）となるように付勢する側壁付勢部材としての捩じりコイルスプリング３０が設けられている。
【００４０】
また、側壁板２０が折畳状態となり接近したベース板１２と対向板１４を接近状態に保持して、折り畳み式収納箱１０を折り畳むマグネットラッチ（図示省略）が、ベース板１２及び対向板１４の少なくとも一方に設けられている。
【００４１】
さらに、図２に示されるように、側壁板２０の折畳状態でベース板１２及び対向板１４と重なる収納状態に配置される矩形状の底板３６が設けられている。底板３６は、ベース板１２の下縁（図２に示す下側）に設けられたフランジ１２Ａに下縁のフランジ１２Ａの長手方向を軸方向とする軸支部３８で回転可能に支持されている。
【００４２】
また、軸支部３８には、底板３６を開放状態に付勢する底板付勢部材としての捩じりコイルスプリング４０が設けられ、底板３６は容易に収納状態から開放状態へ移行できるようになっている。また、底板３６の縁部には、一辺を凹状としてユーザが手を入れるのを許容する凹部４８が設けられている
この構成により、対向板１４をベース板１２から離間させて捩じりコイルスプリング３０によって折畳状態となるように付勢される側壁板２０を展開状態にすると、底板３６は、ユーザの操作力と捩じりコイルスプリング４０の付勢力とで収納状態から回動して開放状態へ移行して一対の側壁板２０とベース板１２と対向板１４とで四方を囲まれる底部を構成するようになっている。
【００４３】
さらに、図１に示されるように、底板３６の中央部には、載置面に先端部が当接して開放状態の底板３６を支持する円筒状の円筒支持部４６（図８参照）が一体的に設けられている。また、底板３６の側面には、側壁板２０に向けて突設される円柱状のガイドピン４２が設けられ、側壁板２０には、収納状態と開放状態を移行する底板３６のガイドピン４２をガイドする円弧状のガイド溝４４が形成されている。
【００４４】
この構成により、底板３６を収納状態から開放状態に向けて移行させる際には、側壁板２０のガイド溝４４がガイドピン４２をガイドする。そして、ガイド溝４４がガイドピン４２をガイドする際には、ガイド溝４４の底面がガイドピン４２に押圧され、側壁板２０は、折畳状態から展開状態へ移行するようになっている。
【００４５】
（要部構成）
次に、底板３６を収納状態（図２参照）から開放状態（図１参照）へ移行させると側壁板２０を展開状態にロックし、底板３６を開放状態から収納状態へ移行させると、展開状態にロックされた側壁板２０のロックを解除するロック手段５８等について説明する。
【００４６】
図１６（Ａ）（Ｂ）、に示されるように、ロック手段５８は、底板３６の側面に設けられ、側壁板２０に向けて突設される円柱状の押圧部６２（図４参照）と、側壁板２０に設けられ、押圧部６２に押圧されて側壁板２０を展開状態にロック又は展開状態からロックを解除するロック装置６０とを備えている。
【００４７】
ロック装置６０は、側壁板２０の内側（折り畳み式収納箱１０の収納部側）に設けられ、開放状態と収納状態とを移行する底板３６（図１参照）の押圧部６２に押圧されて回動する略Ｖ字状の回動部材６４を備えている。
【００４８】
この回動部材６４には、その基端部に円柱状の回転軸６４Ａが一体的に形成されており、この回転軸６４Ａを第１側壁板２０Ａに設けられた貫通孔６６に挿通することで、回動部材６４が回動可能となるように構成されている。
【００４９】
さらに、側壁板２０の外側には、スクリュー６８によって回転軸６４Ａへ固定される棒状のロック部材７０が設けられている。このロック部材７０は、回転軸６４Ａを通して回動部材６４と一緒に回動するようになっている。
【００５０】
また、回転軸６４Ａには、捩じりコイルスプリング７４が配置されており、この捩じりコイルスプリング７４の一端７４Ａは切り起こされ、回動部材６４に形成された円孔６４Ｄに挿入されている。これに対して、捩じりコイルスプリング７４の他端７４Ｂは切り起こされ、第１側壁板２０Ａに形成された貫通孔６６を中心とする円弧状の円弧孔７８に挿入され、円弧孔７８内を移動可能とされている。
【００５１】
図１１（Ｂ）に示されるように、回動部材６４のＶ字状の開口が上方へ向けているときには、捩じりコイルスプリング７４の他端７４Ｂは、円弧孔７８の一端部に配置され、図１１（Ａ）に示されるように、棒状のロック部材７０は、垂直方向に延びるように設けられ、第１側壁板２０Ａと第２側壁板２０Ｂに跨ることなく配置されている。つまり、図１１（Ａ）（Ｂ）、図１７（Ａ）（Ｂ）で示されるように、回動部材６４のＶ字状の開口が上方を向けているときは、ロック装置６０は、側壁板２０の展開状態のロックを解除するロック解除状態に配置されることとなっている。
【００５２】
これに対し、図１１（Ｂ）で示されるように、収納状態の底板３６（図４参照）を開放状態へ移行させると、底板３６に形成された押圧部６２が、回動部材６４のＶ字状の一方の凸部６４Ｂを押圧する構成となっている。
【００５３】
そして、図１２（Ｂ）、図１８（Ａ）に示されるように、回動部材６４が押圧されると回動部材６４が回動し、捩じりコイルスプリング７４の他端７４Ｂが円弧孔７８の他端部に移動し、回動部材６４のＶ字状の開口が側方を向いて回動部材６４が停止するようになっている。図１２（Ａ）、図１８（Ｂ）に示されるように、回動部材６４が停止した状態で、棒状のロック部材７０は、水平方向に延びるように配置され、ロック部材７０の先端部は、第２側壁板２０Ｂに形成された凹状のポケット部８０に挿入されるようになっており、この状態でロック部材７０は、第１側壁板２０Ａと第２側壁板２０Ｂに跨るように配置される構成となっている。つまり、回動部材６４のＶ字状の開口が側方を向けているときは、ロック装置６０は、側壁板２０の展開状態をロックするロック状態に配置されることとなっている。
【００５４】
一方、図１３（Ａ）（Ｂ）に示されるように、開放状態の底板３６（図４参照）を収納状態へ移行させると、底板３６に形成された押圧部６２が、回動部材６４のＶ字状の他方の凸部６４Ｃを押圧する構成となっている。これにより、図１１（Ａ）（Ｂ）に示されるように、回動部材６４及びロック部材７０が回動し、捩じりコイルスプリング７４の他端７４Ｂが円弧孔７８の他端部から一端部に移動し、回動部材６４のＶ字状の開口が上方を向いて回動部材６４が停止するようになっている。つまり、ロック装置６０は、側壁板２０の展開状態のロックを解除するロック解除状態に配置されることとなっている。
【００５５】
これに対し、図１４（Ａ）（Ｂ）に示されるように、底板３６が収納状態に配置されているにも関わらず、ロック装置６０がロック状態に配置されている場合に、収納状態の底板３６（図４参照）を開放状態へ移行させると、底板３６に形成された押圧部６２が、回動部材６４のＶ字状の他方の凸部６４Ｃを押圧する構成となっている。凸部６４Ｃを押圧された回動部材６４は、捩じりコイルスプリング７４を弾性変形させ、移動軌跡上から退避するように回動し、押圧部６２の移動を許可する構成となっている。なお、押圧部６２が通り過ぎると、回動部材６４は捩じりコイルスプリング７４の付勢力でロック状態に復帰する。
【００５６】
さらに、図１５（Ａ）（Ｂ）に示されるように、底板３６が開放状態に配置されているにも関わらず、ロック装置６０がロック解除状態に配置されている場合に、開放状態の底板３６（図４参照）を収納状態へ移行させると、底板３６に形成された押圧部６２が、回動部材６４のＶ字状の一方の凸部６４Ｂを押圧する構成となっている。凸部６４Ｂを押圧された回動部材６４は、捩じりコイルスプリング７４を弾性変形させ、移動軌跡上から退避するように回動し、押圧部６２の移動を許可する構成となっている。なお、押圧部６２が通り過ぎると、回動部材６４は捩じりコイルスプリング７４の付勢力でロック解除状態に復帰する。
【００５７】
つまり、捩じりコイルスプリング７４は、ロック装置６０が側壁板２０を展開状態にロックするロック状態又は展開状態からロックを解除するロック解除状態の何れでの状態であっても、底板３６の収納状態から開放状態又は開放状態から収納状態への移行を許可とする移行許可手段となっている。
【００５８】
一方、図１、図６に示されるように、一対の側壁板２０とベース板１２と対向板１４とで四方を囲まれる底部の対角線の長さが等しくなるように対向板１４をベース板１２から離間させる離間手段としてのＸアーム８４が、ベース板１２の下縁に設けられたフランジ１２Ａと対向板１４の下縁に設けられたフランジ１４Ａに跨るように設けられている。
【００５９】
詳細には、Ｘアーム８４は、一対のアーム部材８６を備えており、一対のアーム部材８６は互いに回転可能となるように、略中央部で軸支部８２にて支持されている。
【００６０】
さらに、一対のアーム部材８６の一端８６Ａは、フランジ１２Ａ及びフランジ１４Ａに設けられ、垂直方向を軸方向とする軸支部８８に回転可能に支持されている。また、一対のアーム部材８６の他端８６Ｂは、フランジ１２Ａ及びフランジ１４Ａに設けられ、フランジ１２Ａ及びフランジ１４Ａの長手方向に延びる長孔９０内に移動可能に支持されている。
【００６１】
この構成により、対向板１４をベース板１２から離間させると、Ｘアーム８４を構成する一対のアーム部材８６が軸支部８２を中心に互いに回転し、アーム部材８６の他端８６Ｂが長孔９０内を移動する。アーム部材８６の中心部が軸支部８２にて支持されているため、アーム部材８６の他端８６Ｂの移動量が同一となり、一対の側壁板２０とベース板１２と対向板１４とで四方を囲まれる底部の対角線の長さが等しくなるようになっている。
【００６２】
（作用・効果）
図２に示されるように、折り畳み式収納箱１０が折り畳まれた状態では、ベース板１２と対向板１４が重なり合い、そして、このベース板１２と対向板１４の間には、折畳状態の側壁板２０と収納状態の底板３６が配置され、折り畳み式収納箱１０は保管場所をとることがないようになっている。
【００６３】
この状態から、ユーザが対向板１４の把持部１６を把持し、対向板１４をベース板１２から離間させると、図３に示されるように、図示せぬマグネットラッチが開放され、Ｘアーム８４のアーム部材８６の他端８６Ｂが長孔９０内を移動する。さらに、側壁板２０は、捩じりコイルスプリング３０の付勢力に対向して折畳状態から展開状態へ向って動き出す。
【００６４】
図４、図５、図７、図９に示されるように、さらに把持部１６を把持して対向板１４をベース板１２から離間させると、底板３６が、捩じりコイルスプリング４０の付勢力で、収納状態から開放状態へ移行しようとする。そして、側壁板２０に形成されたガイド溝４４が、開放状態へ移行しようとする底板３６のガイドピン４２をガイドする。
【００６５】
図１、図６、図８、図１０に示されるように、底板３６の凹部４８に手を入れて底板３６を開放状態に移行させながら、対向板１４をベース板１２から離間させると、アーム部材８６の他端８６Ｂが長孔９０の端部へ移動する。さらに、側壁板２０のガイド溝４４の底面が底板３６のガイドピン４２に押圧され、側壁板２０は折畳状態から展開状態へ移行し、底板３６が開放状態となる。
【００６６】
図１１（Ａ）（Ｂ）、図１２（Ａ）（Ｂ）に示されるように、収納状態の底板３６を開放状態へ移行させると、底板３６に形成された押圧部６２が、回動部材６４のＶ字状の一方の凸部６４Ｂを押圧する。さらに、回動部材６４が押圧されると回動部材６４が回動し、捩じりコイルスプリング７４の他端７４Ｂが円弧孔７８の一端部から他端部に移動し、回動部材６４のＶ字状の開口が側方を向いて回動部材６４が停止する。この回動部材６４が停止した状態で、棒状のロック部材７０は、水平方向に延びるように配置され、ロック部材７０の先端部は、第２側壁板２０Ｂに形成された凹状のポケット部８０に挿入される。ロック部材７０の先端部がポケット部８０に挿入されるとロック部材７０は、第１側壁板２０Ａと第２側壁板２０Ｂに跨るように配置される。つまり、ロック装置６０は、側壁板２０の展開状態をロックするロック状態に配置される。
【００６７】
これにより、折り畳み式収納箱１０が収納箱として使用可能となる。
【００６８】
一方、使用可能となっている折り畳み式収納箱１０を折り畳む際には、図１に示されるように、開放状態の底板３６の凹部４８に手を入れて持ち上げ、底板３６を開放状態から収納状態に移行させる。
【００６９】
図１３（Ａ）（Ｂ）に示されるように、開放状態の底板３６（図４参照）を収納状態へ移行させると、底板３６に形成された押圧部６２が、回動部材６４のＶ字状の他方の凸部６４Ｃを押圧する。これにより、図１１（Ａ）（Ｂ）に示されるように、回動部材６４及びロック部材７０が回動し、捩じりコイルスプリング７４の他端７４Ｂが円弧孔７８の他端部から一端部に移動し、回動部材６４のＶ字状の開口が上方を向いて回動部材６４が停止する。つまり、ロック装置６０は、側壁板２０の展開状態のロックを解除するロック解除状態に配置される。
【００７０】
側壁板２０の展開状態のロックが解除されると、側壁板２０は、捩じりコイルスプリング３０の付勢力で展開状態から折畳状態に移行し、対向板１４はベース板１２と重なり合い図示せぬマグネットラッチにて対向板１４とベース板１２がラッチされて折り畳み式収納箱１０は折り畳まれる。
【００７１】
このように、底板３６を収納状態から開放状態へ移行させるとロック装置６０が側壁板２０を展開状態にロックするため、側壁板２０を展開状態に容易に保持することができる。
【００７２】
また、底板３６を収納状態から開放状態へ移行させると、側壁板２０のガイド溝４４の底面が底板３６のガイドピン４２に押圧され、側壁板２０は折畳状態から展開状態へ移行する。つまり、底板３６を収納状態から開放状態へ移行させるだけで、折り畳み式収納箱１０を容易に収納箱として使用可能な状態に移行させることができる。
【００７３】
また、折り畳み式収納箱１０を折り畳むときには、底板３６を開放状態から収納状態へ移行させると、ロック装置６０が展開状態にロックされた側壁板のロックを解除するため、展開状態にロックされた側壁板２０のロックを容易に解除することができる。
【００７４】
また、底板３６を開放状態から収納状態へ移行させると、展開状態にロックされた側壁板２０のロックが解除され、側壁板２０は捩じりコイルスプリング３０の付勢力で展開状態から折畳状態へ移行し、対向板１４はベース板１２にマグネットラッチにてラッチされて折り畳み式収納箱１０は折り畳まれる。つまり、底板３６を開放状態から収納状態へ移行させるだけで、折り畳み式収納箱１０を容易に折り畳むことができる。
【００７５】
また、捩じりコイルスプリング７４の弾性変形を利用して、ロック装置６０が側壁板２０を展開状態にロックするロック状態又は展開状態からロックを解除するロック解除状態の何れでの状態であっても、底板３６の収納状態から開放状態又は開放状態から収納状態への移行を許可する構造となっている。このため、ロック装置６０が押圧部６２に押圧されることなくロック状態又はロック解除状態に移行してしまったときでも、底板３６を収納状態から開放状態又は開放状態から収納状態へと移行させることができる。
【００７６】
また、対向板１４をベース板１２から離間させることで、Ｘアーム８４を構成する一対のアーム部材８６を軸支部８２を中心に回転させ、アーム部材８６の他端８６Ｂの長孔９０内の移動量を同一とすることで、一対の側壁板２０とベース板１２と対向板１４とで四方を囲まれる底部の対角線の長さを等しくさせることができる。
【００７７】
また、一対の側壁板２０とベース板１２と対向板１４とで四方を囲まれる底部の対角線の長さを等しくさせることで、折り畳み式収納箱１０が歪むのを抑制することができる。
【００７８】
また、捩じりコイルスプリング４０が底板３６を開放状態に付勢するため、ユーザが底板３６を収納状態から開放状態へ移行させる操作力が軽減される。
【００７９】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、底板３６をベース板１２に軸支させたが、対向板１４に軸支させてもよい。
【００８０】
また、上記実施形態では、捩じりコイルスプリング４０の付勢力によってユーザが底板３６を収納状態から開放状態へ移行させる操作力を軽減させたが、捩じりコイルスプリングの付勢力を強くして捩じりコイルスプリングの付勢力だけで底板を収納状態から開放状態へ移行させてもよい。
【００８１】
次ぎに、本発明の折り畳み式収納箱１００の第２実施形態を図１９〜図２６に従って説明する。
【００８２】
なお、第１実施形態と同一部材については、同一符号を付してその説明を省略する。
【００８３】
図１９（Ａ）（Ｂ）に示されるように、本第２実施形態のロック装置１０２には、回動可能な回動部材は設けられておらず、それに代えて、第１側壁板２０Ａに形成された水平方向（対向板がベース板から離間する方向）に延びる矩形状の凹部１０４内を移動可能とされる移動部材１０６が設けられている。
【００８４】
詳細には、ロック装置１０２は、側壁板２０の内側（折り畳み式収納箱１００の収納部側）に設けられ、開放状態と収納状態との間を移行する底板の押圧部６２に押圧されて凹部１０４内を移動する移動部材１０６を備えている。さらに、移動部材１０６の表面（収納部側を向いた面）には、移動する押圧部６２に押圧される一の突起部１０６Ｂ及び他の突起部１０６Ｃが水平方向に離れて設けられている。
【００８５】
この移動部材１０６の裏面（側壁板２０側を向いた面）には、円筒状のエンボス１０６Ａが一体的に形成されており、側壁板２０の外側には、スクリュー１１０によってエンボス１０６Ａへ固定される平板矩形状のロック部材１１２が設けられている。
【００８６】
このロック部材１１２は、第１側壁板２０Ａの外側に形成された凹部１１４に嵌め込まれ、第２側壁板２０Ｂと近接、離間する方向に移動可能とされている。
【００８７】
また、エンボス１０６Ａには、捩じりコイルスプリング１１８が配置されており、この捩じりコイルスプリング１１８は、エンボス１０６Ａに対して回転不可能とされて固定されている。さらに、コイルスプリング１１８の一端１１８Ａは、第２側壁板２０Ｂから離間するように斜め下方に延びて先端部が折り曲げられており、コイルスプリング１１８の他端１１８Ｂは、第２側壁板２０Ｂへ近づくように斜め下方に延びて先端部が折り曲げられている。
【００８８】
図２２（Ｂ）に示されるように、コイルスプリング１１８の一端１１８Ａが凹部１１４の一側縁部１１４Ａに当接しているときには、図２２（Ａ）に示されるように、板状のロック部材１１２は、第１側壁板２０Ａと第２側壁板２０Ｂに跨ることなく配置されている。つまり、図２０（Ａ）（Ｂ）、図２２（Ａ）（Ｂ）に示されるように、コイルスプリング１１８の一端１１８Ａが凹部１１４の一側縁部１１４Ａに当接しているときには、ロック装置１０２は、側壁板２０の展開状態のロックを解除するロック解除状態に配置される。
【００８９】
これに対し、図２２（Ｂ）に示されるように、収納状態の底板を開放状態へ移行させると、底板に形成された押圧部６２が、移動部材１０６の表面に設けられた一の突起部１０６Ｂを押圧する構成となっている。
【００９０】
そして、図２１（Ａ）、図２３（Ｂ）に示されるように、移動部材１０６の一の突起部１０６Ｂが押圧されると移動部材１０６が第２側壁板２０Ｂに向けて移動し、捩じりコイルスプリング１１８の他端１１８Ｂが凹部１１４の他側縁部１１４Ｂに当接して移動部材１０６は停止する。
【００９１】
図２１（Ｂ）、図２３（Ａ）に示されるように、この移動部材１０６が停止した状態で、板状のロック部材１１２の先端は、第２側壁板２０Ｂに形成された凹状のポケット部１２０に挿入され、ロック部材１１２は、第１側壁板２０Ａと第２側壁板２０Ｂに跨るように配置される。つまり、コイルスプリング１１８の他端１１８Ｂが凹部１１４の他側縁部１１４Ｂに当接しているときには、ロック装置１０２は、側壁板２０を展開状態にロックするように配置される。
【００９２】
一方、図２４（Ａ）（Ｂ）に示されるように、開放状態の底板を収納状態へ移行させると、底板に形成された押圧部６２が、移動部材１０６の他の突起部１０６Ｃを押圧する構成となっている。これにより、図２２（Ａ）（Ｂ）に示されるように、移動部材１０６及びロック部材１１２が移動し、捩じりコイルスプリング１１８の一端１１８Ａが凹部１１４の一側縁部１１４Ａと当接し、移動部材１０６が停止するようになっている。つまり、ロック装置１０２は、側壁板２０の展開状態のロックを解除するロック解除状態に配置される。
【００９３】
これに対し、図２５（Ａ）（Ｂ）に示されるように、底板が収納状態に配置されているにも関わらず、ロック装置１０２がロック状態に配置されている場合に、収納状態の底板を開放状態へ移行させると、底板に形成された押圧部６２が、移動部材１０６の他の突起部１０６Ｃを押圧する構成となっている。他の突起部１０６Ｃを押圧された移動部材１０６は、捩じりコイルスプリング１１８を弾性変形させ、移動軌跡上から退避するように移動し、押圧部６２の移動を許可する構成となっている。なお、押圧部６２が通り過ぎると、移動部材１０６は捩じりコイルスプリング１１８の付勢力でロック状態に復帰するようになっている。
【００９４】
さらに、図２６（Ａ）（Ｂ）に示されるように、底板が開放状態に配置されているにも関わらず、ロック装置１０２がロック解除状態に配置されている場合に、開放状態の底板を収納状態へ移行させると、底板に形成された押圧部６２が、移動部材１０６の一の突起部１０６Ｂを押圧する構成となっている。一の突起部１０６Ｂを押圧された移動部材１０６は、捩じりコイルスプリング１１８を弾性変形させ、移動軌跡上から退避するように移動し、押圧部６２の移動を許可する構成となっている。なお、押圧部６２が通り過ぎると、移動部材１０６は捩じりコイルスプリング１１８の付勢力でロック解除状態に復帰するようになっている。
【符号の説明】
【００９５】
１０        折り畳み式収納箱
１２        ベース板
１４        対向板
２０        側壁板
３０        捩じりコイルスプリング（側壁付勢部材）
３６        底板
４０        捩じりコイルスプリング（底板付勢部材）
５８        ロック手段
６０        ロック装置
６２        押圧部
７４        捩じりコイルスプリング（移動許可手段）
８４        Ｘアーム（離間手段）
１００      折り畳み式収納箱
１０２      ロック装置
１１８      捩じりコイルスプリング（移動許可手段）
【図１】
2010274962.tif 000003
【図２】
2010274962.tif 000004
【図３】
2010274962.tif 000005
【図４】
2010274962.tif 000006
【図５】
2010274962.tif 000007
【図６】
2010274962.tif 000008
【図７】
2010274962.tif 000009
【図８】
2010274962.tif 000010
【図９】
2010274962.tif 000011
【図１０】
2010274962.tif 000012
【図１１】
2010274962.tif 000013
【図１２】
2010274962.tif 000014
【図１３】
2010274962.tif 000015
【図１４】
2010274962.tif 000016
【図１５】
2010274962.tif 000017
【図１６】
2010274962.tif 000018
【図１７】
2010274962.tif 000019
【図１８】
2010274962.tif 000020
【図１９】
2010274962.tif 000021
【図２０】
2010274962.tif 000022
【図２１】
2010274962.tif 000023
【図２２】
2010274962.tif 000024
【図２３】
2010274962.tif 000025
【図２４】
2010274962.tif 000026
【図２５】
2010274962.tif 000027
【図２６】
2010274962.tif 000028